(57)【要約】  タイヤに潤滑剤を塗布するためのタイヤビード潤滑システムが、それらの間にコンベヤ開口を形成する複数のコンベヤベルトを支持するフレームを備える。当該複数のコンベアベルトは、フレームの一端から他端へとタイヤを移送する。潤滑ウィックチャンバが、フレーム内に維持され、コンベヤ開口の下方に位置決めされている。潤滑ウィックアセンブリが、潤滑ウィックチャンバに受容されており、コンベヤ開口内に移動する。潤滑ウィックアセンブリは、少なくとも１つの係合ローラと、タイヤに塗布される潤滑剤を保持する少なくとも１つの細長ブラシと、を有する。
2021514898.tif 000002
【特許請求の範囲】
【請求項１】
タイヤに潤滑剤を塗布するためのタイヤビード潤滑システムであって、
前記タイヤのボア内に軸方向に移動可能な潤滑ウィックアセンブリ
を備え、
前記潤滑ウィックアセンブリは、少なくとも１つの係合ローラによって互いに接続された対向キャップを有しており、
少なくとも１つの細長ブラシが、前記キャップの少なくとも一方から延在しており、
前記少なくとも１つの係合ローラは、前記タイヤのビードに接触し、
前記少なくとも１つの細長ブラシは、前記ビードに塗布するための前記潤滑剤を保持する
ことを特徴とするシステム。
【請求項２】
前記少なくとも１つの係合ローラは、前記キャップ間に延在する一対の係合ローラを含み、
前記係合ローラの各々は、軸方向に回転可能である
ことを特徴とする請求項１に記載のシステム。
【請求項３】
前記少なくとも１つの細長ブラシは、前記対向キャップ間に延在し、前記一対の係合ローラ間に位置決めされている
ことを特徴とする請求項２に記載のシステム。
【請求項４】
前記少なくとも１つの細長ブラシは、前記一対の係合ローラよりも更に径方向に延びる複数のブラシ毛を有する
ことを特徴とする請求項３に記載のシステム。
【請求項５】
前記少なくとも１つの細長ブラシは、複数のブラシセグメントを含み、
前記ブラシセグメントの各々は、複数のブラシ毛を有し、
前記ブラシセグメントの各々は、交換可能である
ことを特徴とする請求項３に記載のシステム。
【請求項６】
前記潤滑ウィックアセンブリを軸方向に受け入れる潤滑ウィックチャンバ
を更に備えたことを特徴とする請求項３に記載のシステム。
【請求項７】
前記潤滑ウィックチャンバに結合されたスプレーノズル
を更に備え、
前記スプレーノズルは、前記潤滑ウィックチャンバに対して出入りする時に前記少なくとも１つの細長ブラシに潤滑流体を塗布する
ことを特徴とする請求項６に記載のシステム。
【請求項８】
タイヤに潤滑剤を塗布するためのタイヤビード潤滑システムであって、
それらの間にコンベヤ開口を形成する複数のコンベヤベルトを支持するフレームと、
前記フレーム内に維持され、前記コンベヤ開口の下方に位置決めされた潤滑ウィックチャンバと、
前記潤滑ウィックチャンバに受容されており、前記コンベヤ開口内に移動可能な潤滑ウィックアセンブリと、
を備え、
前記複数のコンベアベルトは、前記フレームの一端から他端へとタイヤを移送し、
前記潤滑ウィックアセンブリは、少なくとも１つの係合ローラと、前記タイヤに塗布される潤滑剤を保持する少なくとも１つの細長ブラシと、を有する
ことを特徴とするシステム。
【請求項９】
前記少なくとも１つの細長ブラシは、前記少なくとも１つの係合ローラよりも更に径方向に延びる複数のブラシ毛を有する
ことを特徴とする請求項８に記載のシステム。
【請求項１０】
前記少なくとも１つの係合ローラは、一対の対向するキャップ間に延在し、
前記少なくとも１つの細長ブラシは、前記キャップの少なくとも一方から延在して、前記一対の係合ローラ間に位置決めされている
ことを特徴とする請求項８に記載のシステム。
【請求項１１】
潤滑流体を保持するためのタンクと、前記潤滑ウィックアセンブリに関連付けられたスプレーノズルに接続されたポンプと、を有する潤滑ポンプシステム
を更に備え、
前記ポンプは、前記スプレーノズルを通して、前記少なくとも１つの細長ブラシ上に潤滑流体を差し向ける
ことを特徴とする請求項１０に記載のシステム。
【請求項１２】
前記ポンプは、前記潤滑ウィックアセンブリが前記潤滑ウィックチャンバに対して出入りする時に、潤滑流体を噴霧する
ことを特徴とする請求項１１に記載のシステム。
【請求項１３】
前記潤滑ウィックチャンバに接続された余剰戻りチューブが、潤滑流体を前記タンクに送る
ことを特徴とする請求項１２に記載のシステム。
【請求項１４】
前記潤滑ウィックアセンブリは、前記一対の対向するキャップと、それらの間に延在する一対の前記係合ローラと、を有し、
前記ローラの各々は、回転可能である
ことを特徴とする請求項１２に記載のシステム。
【請求項１５】
前記フレームから延在する外部クロス部材
を更に備え、
前記外部クロス部材は、受容穴を有し、
前記潤滑ウィックアセンブリは、前記キャップの一方から延在して前記潤滑ウィックアセンブリが前記潤滑ウィックチャンバから延びる時に前記受容穴内に受容可能なキャップパイロットを有する
ことを特徴とする請求項１０に記載のシステム。
【発明の詳細な説明】
【技術分野】
【０００１】
本発明は、一般に、空気入りタイヤのビード領域を潤滑するためのシステムに関する。
【背景技術】
【０００２】
空気入りタイヤの生産を含む多くの作業において、製造と加硫とに続いて、タイヤがチャックアセンブリ上に配置され、様々な検査と研削作業とが実施され得る。 一般に、例えばタイヤユニフォミティマシンでは、タイヤはコンベヤに沿って当該ユニフォミティマシン内へと前進され、そこで第１チャックが上昇されてタイヤの下部ビードに係合し、その後、当該タイヤが上昇されて、上部ビードが第２チャックによって係合される。その後、当該タイヤは膨張され、様々な検査が実施される。その後、当該タイヤは収縮され、第１チャックが後退され、当該タイヤは第２チャックから取り外されて、別のタイヤがテストされ得るように当該機械から取り外される。
【０００３】
更なる製造、検査または研削作業のためにタイヤがチャック上に取り付けられるこのようなシステム及び他の領域では、チャック、ついでに言えば自動車のホイール、の適合面と完全な気密シールを実現するように、それらのシール面に沿って上部及び下部ビードを潤滑することが望ましい。
【０００４】
既存の潤滑システムの１つは、垂直配向のローラ（アプリケータとも呼ばれる）を提供する。当該ローラは、コンベヤの下方に取り付けられ、余剰な潤滑剤のスプレーしぶきや流出分を収容するために使用される容器内に収容されている。タイヤが当該ローラの上方のある位置に移動すると、当該ローラはその軸に沿って上向きに伸長され、タイヤによって定義されたボアに入る。同時に、ポップアップローラテーブルが、タイヤをコンベヤから持ち上げる。タイヤはローラテーブル上で駆動され、前記ローラと接触させられ、前記ローラ回りに回転される。前記ローラは、１組のポップアップスピナーロールによってビードに潤滑剤を塗布する。ローラとビードとの間の接触は、ポップアップスピナーロールがタイヤをアプリケータと接触させることに依存しているため、ローラはタイヤとの衝撃によってストレスを受ける。多くの場合、適切な位置に到達するまで、タイヤはローラに複数回衝突する。このように、幾つかのシステムは、タイヤのボアに入るために垂直軸に沿って移動可能で、タイヤのビードに接触してそれに潤滑剤を塗布するために半径方向に伸張可能な複数のアプリケータを有するアプリケータアセンブリを提供する。
【０００５】
別の既知の潤滑システムでは、タイヤのビードに塗布する前に、ローラを覆って潤滑流体を吸収するために、布スリーブまたは「靴下」を使用することが一般的である。特に、ほとんどのシステムが、布スリーブが装着されたナイロン製円筒ローラを採用している。タイヤのビードへの各塗布工程の前に、潤滑油がスリーブ上に噴霧（スプレー）されるか、あるいは、塗布される。次に、当該円筒ローラが強制的にビードと係合され、次いでビード表面をコーティングするべく回転される。時間の経過により、タイヤのビードが同じ位置でスリーブに係合し、スリーブが破れて、もはや潤滑材料を適切に塗布しなくなる。そのため、スリーブは交換される必要があり、機械のダウンタイムが発生する。当業者はまた、布繊維が緩んで油圧流体バルブ及び流体ラインに入って、更にタイヤユニフォミティマシン及び他の近くの機器の動作に問題を引き起こし得るため、布スリーブの使用には問題があることを理解するであろう。従って、当該技術分野では、布スリーブ無しでアプリケータを使用して、より長く続き、機械のメンテナンスの必要性を最小限に抑える、というニーズが存在する。
【発明の概要】
【０００６】
前記に照らして、本発明の第１の特徴は、タイヤビード潤滑システムを提供することである。
【０００７】
本発明の別の特徴は、タイヤに潤滑剤を塗布するためのタイヤビード潤滑システムであって、タイヤのボア内に軸方向に移動可能な潤滑ウィックアセンブリを備え、当該潤滑ウィックアセンブリは、少なくとも１つの係合ローラによって互いに接続された対向キャップを有しており、少なくとも１つの細長ブラシが、前記キャップの少なくとも一方から延びており、前記少なくとも１つの係合ローラは、タイヤのビードに接触し、前記少なくとも１つの細長ブラシは、前記ビードに塗布するための潤滑剤を保持する、タイヤビード潤滑システムを提供することである。
【０００８】
本発明の更に別の特徴は、タイヤに潤滑剤を塗布するためのタイヤビード潤滑システムであって、それらの間にコンベヤ開口を形成する複数のコンベヤベルトを支持するフレームを備え、当該複数のコンベアベルトは、前記フレームの一端から他端へとタイヤを移送し、潤滑ウィックチャンバが、前記フレーム内に維持され、前記コンベヤ開口の下方に位置決めされており、潤滑ウィックアセンブリが、前記潤滑ウィックチャンバに受容されており、前記コンベヤ開口内に移動可能で、前記潤滑ウィックアセンブリは、少なくとも１つの係合ローラと、タイヤに塗布される潤滑剤を保持する少なくとも１つの細長ブラシと、を有する、タイヤビード潤滑システムを提供することである。
【０００９】
本発明のこれらの及び他の特徴及び利点は、以下の詳細な説明、添付の特許請求の範囲、及び、添付の図面に関連して、より良好に理解されるであろう。
【図面の簡単な説明】
【００１０】
【図１】本発明の概念に従う、タイヤビード潤滑システムの正面図である。
【図２】本発明の概念に従う、タイヤビード潤滑システムの側面図である。
【図３】本発明の概念に従う、タイヤビード潤滑システムで利用される潤滑システムの詳細図である。
【図４】本発明の概念に従う、潤滑ウィックアセンブリを維持する潤滑ウィックチャンバの部分断面図である。
【図５】本発明の概念に従う、潤滑ウィックチャンバから離れた伸張位置にある潤滑ウィックアセンブリの部分正面斜視図である。
【図６】本発明の概念に従う、潤滑ウィックチャンバに対する後退位置にある潤滑ウィックアセンブリの部分後面斜視図である。
【図７】本発明の概念に従う、潤滑ウィックアセンブリの斜視図である。
【図８】本発明の概念に従う、潤滑動作の開始前の潤滑対象のタイヤを示す、タイヤビード潤滑システムの平面図である。
【図９】本発明の概念に従う、潤滑動作の開始前の動作位置にある潤滑ウィックアセンブリを示す、タイヤビード潤滑システムの平面図である。
【発明を実施するための形態】
【００１１】
図面、特に図１乃至図３に示されるように、タイヤビード潤滑システムは、全体的に符号１０で示されている。当該システム１０は、タイヤ製造設備、特にタイヤ試験設備、と共に使用される。特に、タイヤビード潤滑システム１０は、最近に製造されたタイヤがタイヤユニフォミティマシン、他の検査設備または他の製造設備によって受容される前に、使用される。タイヤは、次の製造または試験動作の前に、一対の対向するリムの間に受容されてチャックされなければならない。一般に、タイヤビード潤滑システムは、チャッキング装置の対向するリム内へのタイヤの取り付けおよび取り外しを容易にするために、タイヤビードに潤滑油を塗布する。
【００１２】
システム１０は、符号１１によって示されたフレームを備える。当該フレームは、製造フロアによって支持された複数の支柱１２を含む。支柱１２のほぼ中間点で、内部クロス部材１４が、一方側から他方側まで及ぶことができる。当業者は、一対の対向するコンベヤベルト１８がフレーム１１に関連付けられ、当該コンベヤベルトがそれらの間にコンベヤ開口２０（図８及び図９参照）を有することを理解するであろう。当業者は、また、コンベヤベルト１８がモータによって駆動され、タイヤを前の製造ステーションから次の製造ステーション（タイヤ検査機械であり得る）に移送することを理解するであろう。大文字の「Ｔ」で示されたタイヤは、コンベヤベルト上を移動し、当該タイヤは、各サイドウォールで終端する大文字の「Ｂ」で示された対向するビードを有する。ビードは、内径を規定し、特にタイヤボア２２を規定する。ビードは、次の製造ステーションでのタイヤのチャッキングを容易にするべく、潤滑液が塗布される場所である。
【００１３】
タイヤ位置センサ２４が、タイヤの前縁を監視し、位置信号Ａを生成する。位置信号Ａは、コントローラ２６によって受信される。コントローラ２６は、タイヤビード潤滑システム１０の様々な動作を実行するために様々なタイプの信号を受信するのに必要なハードウェア及びソフトウェアを含む。適切な位置信号Ａがコントローラ２６によって受信されると、当該コントローラは、コンベヤベルトに接続されたモータに、所定の位置で停止して、以後に説明される他の動作を開始するように、指示する。
【００１４】
潤滑システム１０のかなりの部分が、コンベヤベルトの下方に実質的に維持される。当該システムの主要な構成要素は、コンベヤ開口２０の領域に関連付けられている。当該潤滑システム１０は、その中に潤滑ウィックアセンブリ３４を維持する潤滑ウィックチャンバ３２を備え得る。潤滑ウィックアセンブリ３４は、図５に示されるように、移動シリンダ３６によって、伸長位置まで移動可能であり、結果として、タイヤボア２２内に軸方向に移動可能である。シリンダ３６は、ピストンロッド３８を内部に維持し、シリンダ３６は、コントローラ２６に接続され、適切な時にコントローラ２６から制御信号Ｂを受信して、ピストンロッド３８、結果としてウィックアセンブリ３４、を伸長及び収縮させる。当業者は、ウィックアセンブリがより重い重量である実施形態において、ウィックアセンブリ３４を持ち上げるために複数の移動シリンダ３６が採用され得ることを理解するであろう。これは、システム１０が、より大型のセミトラックタイヤ、または、建設設備で使用されるタイヤ、を取り扱うサイズである場合に必要とされ得る。複数の移動シリンダ３６は、コントローラによって作動される時、タンデムで移動する。また、潤滑システム１０の一部は、潤滑ウィックアセンブリ３４がチャンバ３２に対して出入りする時、潤滑ウィックアセンブリ３４に潤滑流体を供給する潤滑ポンプシステム４０である。
【００１５】
潤滑ウィックチャンバ３２は、タイヤがコンベヤベルト１８上の停止位置にある時、コンベヤ開口２０、特にタイヤボア２２、と軸方向に整列される。チャンバ３２は、チャンバキャビティ４４を画定するチャンバハウジング４２を含む。チャンバキャビティ４４は、ハウジング４２の底部をシールするハウジング底部４８を有する。ハウジング底部４８の開口に接続されているのは、余剰戻りポート５０である。当該余剰戻りポート５０は、当該ポートに接続されたチューブ５１によって潤滑ポンプシステム４０に戻るべく、チャンバの底部に蓄積する余剰の潤滑流体を集める。キャップ開口５３を有するハウジングキャップ５２が、ハウジング底部４８の反対側の端部でチャンバハウジング４２上に位置している。キャップ５２は、チャンバハウジング４２の上縁を効果的に取り囲み、キャップ開口５３を通っての潤滑ウィックアセンブリ３４の伸長及び後退を許容する。チャンバハウジング４２から径方向に延在し得るキャップ５２は、ドレン５４を提供し得て、当該ドレン５４は、潤滑ウィックアセンブリ３４から落下する余剰の潤滑流体を集め、それを余剰戻りポート５０及びチューブ５１によるポンプシステム４０への戻りのためにハウジング底部４８に向ける。余剰な流体はまた、ポート５０及びチューブ５１を通ってチャンバハウジング４２にドレンバックし得る。
【００１６】
潤滑ウィックアセンブリ３４は、チャンバハウジング４２に対して軸方向に出入り移動可能である。更に、潤滑ウィックアセンブリ３４は、タイヤボア２２の内外に移動可能である。アセンブリ３４の動きは、ピストンロッド３８によって始動され、シリンダ３６は、ハウジング底部４８の下方に位置決めされ、適切なシーリング構成がピストンロッド３８の周りに維持されている。これにより、シリンダ３６内への潤滑流体の漏れが排除されている。適切な時に、コントローラ２６は、ピストン３８の鉛直方向の動きを制御するシリンダ３６によって受け取られる制御信号Ｂを生成し、ピストン３８は、次に、潤滑ウィックアセンブリ３４を鉛直方向に動かす。
【００１７】
潤滑ウィックアセンブリ３４は、図４乃至図７において最も良く見られるが、頂部キャップ６２によって対向される底部キャップ６０を含む。底部キャップ６０は、ピストンロッド３８に接続され、それによって移動される。少なくとも１つの支持ロッド６４が、それらの間の接続のために、底部キャップ６０と頂部キャップ６２との間に延在し得る。また、底部キャップ６０と頂部キャップ６２との間には、少なくとも１つの係合ローラ６６が接続されている。幾つかの実施形態では、一対の係合ローラ６６が採用され得て、各ローラは、支持ロッドから等距離に離間される。幾つかの実施形態では、１または複数のローラは、キャップのうちの１つだけから延在し得る。更に、各ローラ６６は、その軸回りに回転可能である。換言すれば、ローラに接線方向の力が加わると、ローラが回転し得る。キャップ６０及び６２の少なくとも一方から延びているのは、細長ブラシ６８である。当該ブラシは、ブラシ毛７０を含み、その上に潤滑流体が塗布され、それは、その後、以下に説明されるように、タイヤビードに移送される。一実施形態では、当該細長ブラシは、キャップ６０及び６２の両方に接続され得る。
【００１８】
幾つかの実施形態における細長ブラシ６８は、キャップ６０及び６２の間に接続されてもよく、ローラ６６間に位置決めされてもよい。  当業者は、摩耗した場合に選択されたブラシセグメントの交換を許容するべく、スパイン（主柱）７３に固定された幾つかのブラシセグメント７２内にブラシ６８が提供され得ることを理解するであろう。細長ブラシは、ブラシ毛がタイヤビードによって係合されていない時に係合ローラの外面よりも更に半径方向に延びるように位置決めされる。一方、１または複数の係合ローラがタイヤビードと接触する時、タイヤ及び／またはウィックアセンブリが移動されるにつれて、ブラシ毛７０が撓まされ、潤滑剤がビードに移される。
【００１９】
図５及び図６で最も良く見られるように、頂部キャップ６２から延在しているのは、キャップパイロット７６であり、それは幾分円錐形であり得て、ローラ及びブラシの反対のキャップの側に位置決めされている。フレーム１１からコンベヤベルト１８の上方に延びているのは、外部クロス部材７８である。当該外部クロス部材７８は、本実施形態では、フレームから垂直に上向きに、次いでコンベヤ開口２０の上方を水平に延びている。幾つかの実施形態では、外部クロス部材７８は、フレーム１１以外の構造から延び得る。当該クロス部材７８は、潤滑ウィックアセンブリ３４が鉛直方向に伸長される時にその中に受容するべく、キャップパイロット７６と軸方向に整列されたクロス部材受容穴８０を提供している。
【００２０】
図１及び図２に戻って、潤滑ポンプシステム４０は、フレーム１１の下方のフロア上またはそれに非常に近接して維持され得る。ポンプシステム４０は、潤滑流体を保持する流体タンク８４を含み、当該タンクは、その包囲のために取り外し可能なタンクカバー８６を保持し得る。ポンプ９０が、タンクカバー８６上に維持されており、制御信号Ｃを介してコントローラ２６に接続される。カバー９２が、ポンプ９０を覆ってデブリをポンプ機構から遠ざけるように、採用され得る。流体タンク８４内に維持されているのは、流体レベルスイッチ９４である。当該流体レベルスイッチ９４は、流体タンク８４の中の流体レベルを監視し、制御信号Ｃを介してコントローラ２６にレベル指示を送る。これにより、流体レベルに応じて、アラートが生成され得て、及び／または、送信され得る。充填キャップ１００が、カバー８６と関連付けされており、必要に応じて潤滑流体をタンク８４内に堆積させることができる。当該カバー８６はまた、流体戻りポート１０２を提供し、当該流体戻りポート１０２は、余剰戻りチューブ５１に接続されていて、集められる余剰な流体がポンプシステム４０を通して再循環され得るようになっている。空気ライン１０６が、その操作を容易にするべくポンプに接続されていて、流体ライン１０８が、ポンプ９０から延在しており、当該流体ライン１０８の反対端は、スプレーノズル１１０に接続されており、当該スプレーノズル１１０は、潤滑ウィックチャンバハウジング４２に最適位置で取り付けられている。換言すれば、スプレーノズル１１０は、潤滑ウィックアセンブリが上方に伸長される時、及び／または、チャンバハウジング４２内へ戻る際に受容される時、ブラシ毛７０上に潤滑流体を堆積させるように配向されている。
【００２１】
潤滑システム１０の実装は、追加の構成要素を必要とする場合がある。図８及び図９に示すように、スピナーロール１２０が、コンベヤベルト１８の近くのフレーム１１の各側に位置決めされ得る。各スピナーロール１２０は、ロール駆動部１２２を含み、当該ロール駆動部１２２が、必要な時にスピナーロールをコンベヤベルトの上方に鉛直移動させ、必要でない時にコンベヤベルトの下方に撤退させる。各スピナーロールはまた、コントローラに接続されて各スピナーロール１２０を回転させる働きをする駆動モータ１２４を含み得る。ロール駆動部１２２及び駆動モータ１２４は、制御信号Ｄを介してコントローラ２６によって作動される。
【００２２】
潤滑システムの別の特徴は、コンベヤ開口２０の領域でコンベヤベルト１８間に位置決めされるポップアップテーブル１３０である。少なくとも１つのテーブルエアシリンダ１３２（図２に最も良く示されている）が、ポップアップテーブル１３０に結合されている。ポップアップテーブル１３０は、タイヤをコンベヤベルト１８から持ち上げて、タイヤの回転を許容する。エアシリンダ１３２は、コントローラ２６に接続され、フレームの下側及び／またはタイヤビード潤滑システムの複数の構成要素に取り付けられる。各エアシリンダ１３２は、コントローラ２６から制御信号Ｅを受信する。ポップアップテーブル１３０は、以下に説明されるように、タイヤの回転運動を許容する複数のテーブルローラ１４０を含む。
【００２３】
スピナーロール１２０は、コンベヤベルトの上方位置に持ち上げられ、ポップアップテーブル１３０によってタイヤが持ち上げられた後、キャリッジ１５０によって横方向に移動される。キャリッジ１５０は、フレーム１１によって保持されるロッド１５４に摺動可能に取り付けられた一対のブシュ１５２を含む。ピストン１５６が、制御信号Ｆによってコントローラ２６に接続され得て、スピナーロール１２０をタイヤのトレッドと係合させる。後述されるように、これは、タイヤビードをローラ６６に隣接させる、ないし、ローラ６６と接触係合させる。
【００２４】
動作時、タイヤは、コンベヤラインに沿って給送され、コンベヤベルト１８によって受け取られる。タイヤ位置センサ２４は、タイヤの前縁を検出し、そのボア２２が潤滑ウィックチャンバ３２と実質的に同心になるようにタイヤを位置決めする。適切なタイミングで、コントローラ２６はコンベヤベルト１８の動きを停止させ、タイヤが所定位置に位置決めされる。次に、ポップアップテーブル１３０が作動され、テーブルローラ１４０がタイヤのサイドウォールに係合してタイヤをコンベヤベルトの上方に持ち上げ、タイヤがもはやそれと接触しないようにする。
【００２５】
これらの工程が完了すると、コントローラは、潤滑ウィックシリンダ３６に指示して、その内部ピストンロッド３８を作動させて、潤滑ウィックアセンブリ３４を潤滑ウィックチャンバ３２から鉛直方向に移動させる。この指示と同時に、コントローラは、ポンプシステム４０に指示して、潤滑流体をスプレーノズル１１０に導き得て、スプレーノズル１１０は、ブラシ毛７０が上向きに移動する時に、ブラシ毛７０上に潤滑流体を付着（堆積）させる。潤滑ウィックアセンブリは、キャップパイロット７６がクロス部材受容穴８０に受け入れられる時まで、上方に移動し続け得る。
【００２６】
次に、コントローラ２６は、上向きに伸長してスピナーロールを持ち上げるようにロール駆動部１２２に指示し、その後、コントローラ２６は、ピストン１５６を作動させてキャリッジ１５５を移動させ、スピナーローラ１２０をタイヤトレッドに横方向に係合させる。この横方向の動きは、タイヤビードをローラ６６と強制的に係合させる。
【００２７】
次に、コントローラは、スピナーローラに回転するよう指示し、その結果、タイヤが回転する。タイヤの回転は、タイヤのビードを強制的に係合ローラ及びブラシ毛に回転可能に係合させ、タイヤがテーブルローラ１４０上で回転するにつれて、タイヤビードに潤滑流体を塗布する。両方のビードを適切な量の潤滑剤でコーティングするためのタイヤの十分な回転数が完了した後、スピナーロールの回転はコントローラ２６によって停止され、引き出される。対応する態様で、潤滑ウィックアセンブリが引き出され得て、スピナーローラが係合解除されて下降され得て、ポップアップテーブルが下降されて、タイヤサイドウォールがもはやポップアップテーブル１３０ではなくコンベヤベルト１８によって係合されるようになる。全てのアセンブリが完全に引き出されると、コンベヤベルトが潤滑されたタイヤをチャッキングステーションに送る。
【００２８】
本発明の利点は、明らかである。潤滑流体が付着されたブラシ（毛）の使用は、当該ブラシがタイヤビードの直接接触を吸収しないという点で有利である。代わりに、ローラが当該直接接触を吸収し、最小限の力のみがブラシ毛に適用されるので、ブラシ毛が過度に磨耗して潤滑流体の流れに入り込むことがない。結果として、ブラシ毛がポンプの機械に絡まったりすることがなく、緩んだり外れたブラシ毛が近くの動作設備の他の流体システムに入ることもない。更に、より多くの液体がリサイクルされ、廃棄物が最小限となる。更に、摩耗したブラシセグメントは、必要に応じて簡単に交換され得る。
【００２９】
従って、本発明の目的が以上に提示された構造及びその使用方法によって満たされることが、理解され得る。特許法に従って、最良の実施形態及び好適な実施形態のみが提示され詳細に説明されたが、本発明はそれらに限定されないことが理解される。本発明の真の範囲及び広さを理解するためには、以下の特許請求の範囲が参照されるべきである。
【図１】
2021514898.tif 000003
【図２】
2021514898.tif 000004
【図３】
2021514898.tif 000005
【図４】
2021514898.tif 000006
【図５】
2021514898.tif 000007
【図６】
2021514898.tif 000008
【図７】
2021514898.tif 000009
【図８】
2021514898.tif 000010
【図９】
2021514898.tif 000011
【国際調査報告】
2021514898.tif 000012